(57)【要約】【課題】表示方向が切替可能な電気泳動ディスプレイキー構造を提供する。【解決手段】キー構造は第一プリント回路基板と、電気泳動ディスプレイ薄膜と、透明電極層と、複数のキーキャップと、制御素子とを含む。第一プリント回路基板は各キー領域にそれぞれ対応する複数の電極ブロックを含み、各電極ブロックは複数の電極を含む。そのうち同じ電極ブロックにある電極は少なくとも２つのパターンを構成し、これらのパターンは一部の電極を共用する。電気泳動ディスプレイ薄膜は第一プリント回路基板に設けられている。透明電極層は電気泳動ディスプレイ薄膜に設けられている。制御素子はキー領域内に設けられ、入力信号を生成する。【選択図】図６
0003164279.tif 000002
【実用新案登録請求の範囲】
【請求項１】
複数のキー領域を備える表示方向が切替可能な電気泳動ディスプレイキー構造であって、
前記複数のキー領域の各々にそれぞれ対応し、各々複数の電極を備える複数の電極ブロックを含み、各電極ブロックにある複数の電極が少なくとも２つのパターンを構成し、これらのパターンが当該複数の電極を共用する第一プリント回路基板と、
前記第一プリント回路基板に設けられる電気泳動ディスプレイ薄膜と、
前記電気泳動ディスプレイ薄膜に設けられる透明電極層と、
前記複数のキー領域内に設けられ、入力信号を生成する制御素子と
を含む、電気泳動ディスプレイキー構造。
【請求項２】
前記少なくとも２つのパターンの各々は文字、数字、または特殊記号である、請求項１に記載の電気泳動ディスプレイキー構造。
【請求項３】
前記少なくとも２つのパターンの各々の表示方向は互いに平行である、請求項１または２に記載の電気泳動ディスプレイキー構造。
【請求項４】
前記少なくとも２つのパターンの各々の表示方向は互いに垂直である、請求項１または２に記載の電気泳動ディスプレイキー構造。
【請求項５】
前記電気泳動ディスプレイキー構造は更に、前記複数のキー領域の各々の前記透明電極層に設けられる複数のキーキャップを含む、請求項１から４の何れか１項に記載の電気泳動ディスプレイキー構造。
【請求項６】
前記複数のキーキャップは紫外線硬化樹脂を含む、請求項５に記載の電気泳動ディスプレイキー構造。
【請求項７】
前記制御素子は、
前記第一プリント回路基板の下に設けられる第二プリント回路基板と、
前記第一プリント回路基板と前記第二プリント回路基板との間に設けられる弾性片薄膜と、
前記複数のキー領域の各々の前記弾性片薄膜と前記第二プリント回路基板との間にそれぞれ設けられる複数の金属弾性片とを含む、請求項１から６の何れか１項に記載の電気泳動ディスプレイキー構造。
【請求項８】
前記制御素子は更に、前記複数の金属弾性片の各々に対応する前記第一プリント回路基板と前記複数の金属弾性片の各々との間にそれぞれ設けられる複数のプランジャーを含む、請求項７に記載の電気泳動ディスプレイキー構造。
【請求項９】
前記複数のプランジャーはシリコーンまたはゴムを含む、請求項８に記載の電気泳動ディスプレイキー構造。
【請求項１０】
前記制御素子は、前記透明電極に設けられ、前記透明電極層と電気的に絶縁した容量式タッチパネルである、請求項１から６の何れか１項に記載の電気泳動ディスプレイキー構造。
【請求項１１】
前記電気泳動ディスプレイキー構造は更に、
前記第一プリント回路基板の下に設けられる弾性片薄膜と、
前記キー領域内の前記弾性片薄膜の下にそれぞれ設けられる複数の金属弾性片とを含む、請求項１０に記載の電気泳動ディスプレイキー構造。
【請求項１２】
前記電気泳動ディスプレイキー構造は更に、前記複数の金属弾性片の各々に対応する前記第一プリント回路基板と前記複数の金属弾性片の各々との間にそれぞれ設けられる複数のプランジャーを含む、請求項１１に記載の電気泳動ディスプレイキー構造。
【請求項１３】
前記電気泳動ディスプレイキー構造は更に、
前記透明電極層に設けられる導光板と、
前記導光板と前記透明電極層との間に設けられ、前記導光板と前記透明電極層を接合する粘着層と、
前記導光板の一側に設けられる光源と
を含む、請求項１から１２の何れか１項に記載の電気泳動ディスプレイキー構造。
【請求項１４】
前記光源は発光ダイオードである、請求項１３に記載の電気泳動ディスプレイキー構造。
【考案の詳細な説明】
【技術分野】
【０００１】
本考案は表示方向が切替可能な電気泳動ディスプレイ（ＥＰＤ）キー構造に関し、特に電気泳動ディスプレイ薄膜と制御素子を組み合わせた電気泳動ディスプレイキー構造に関する。
【背景技術】
【０００２】
技術の進歩と発展に伴い、ユーザーによるショートメッセージや指令など各種のデータの入力を容易にするか、またはカーソルの移動など各種の機能を実行するために、各種の電子装置、特に携帯電話やパーソナルデジタルアシスタント（ＰＤＡ）などモバイル型電子製品にとって入力装置が必要である。キーパッドは、モバイル型電子製品によく見られる入力装置で、複数のキー構造から構成されたものである。ユーザーによる選択・入力を容易にするために、キー構造はそれぞれ異なる文字や記号など所定メッセージを表すようにされている。
【０００３】
従来のキー構造により表される文字記号や数字記号は、印刷または平面貼付法によりキー構造のキーキャップに直接標示される。磨耗により文字記号と数字記号が識別できなくなるのを防ぐために、キー構造のキーキャップを透明にするうえ、レーザー彫刻工程で標示対象の数字、文字、または記号をキー構造のキーキャップに形成することで、数字、文字、または記号の磨耗を防ぐ先行技術が開発されている。しかし近年、モバイル型電子製品の小型化に伴い、入力用のキー構造が小さくなり、標示された文字記号や数字記号が小さすぎて識別できないか、またはキー構造の面積が小さくて所要の文字記号や数字記号を収容できないという問題が生じている。また、技術の進歩に伴ってモバイル型電子製品の機能が革新されるとともに、入力装置とされるキー構造は、さまざまな機能に対応する多種のメッセージを表さなければならなくなっている。したがって、各キー構造により表される種々の機能に対応するメッセージがユーザーにより識別されるのを可能にするために、キー構造は各々複数の記号を表示しなければならない。
【０００４】
特開２００９−２００６６６では、ユーザーが種々の方式で携帯電話装置を操作することが可能で、キー構造の記号を異なる方向で表示できるような、記号表示方向が切替可能な携帯電話装置を開示している。図１と図２を参照する。図１と図２は従来の携帯電話装置の操作方式と、対応する記号の表示方向を表す説明図である。図１に示すように、従来の携帯電話装置１０は上筐体１２と、下筐体１４と、キー構造１６と、２つの回動軸構造１８、２０とを含み、キー構造１６は下筐体１４内に設けられている。上筐体１２を第一方向２２へ開くとき、回動軸構造１８はそれに対応して回動し、キー構造１６は複数の第一記号２４を表示する。第一記号２４は第一方向２２の反対方向に表示される。図２に示すように、上筐体１２を第二方向２６へ開くとき、他方の回動軸構造２０はそれに対応して回動し、キー構造１６は複数の第二記号２８を表示する。第二記号２８は第二方向２６の反対方向に表示される。
【０００５】
しかし、従来の携帯電話装置の回動軸構造の数量は、キー構造の記号表示方向の数や記号の種類と一致しているため、キー構造の記号種類が回動軸構造の数量によって制約されるという問題がある。したがって、キー構造がモードによって種々の記号種類や表示方向を表示するのを可能にし、更にキー構造で表示可能なメッセージの種類を増やすために、回動軸の数量を増加しなければならず、製作コストが高くなる。それに鑑みて、キー構造で表示可能な記号種類や表示方向が限られるという問題を解決すること、そして表示対象の文字記号や数字記号が小さすぎて識別できないという問題を防止することは、業界では開発の目標とされている。
【考案の概要】
【考案が解決しようとする課題】
【０００６】
本考案は前述の問題を解決するために、表示方向が切替可能な電気泳動ディスプレイキー構造を提供することを課題とする。
【課題を解決するための手段】
【０００７】
本考案では、複数のキー領域を備える表示方向が切替可能な電気泳動ディスプレイキー構造を開示する。キー構造は第一プリント回路基板と、電気泳動ディスプレイ薄膜と、透明電極層と、複数のキーキャップと、制御素子とを含む。第一プリント回路基板は各キー領域にそれぞれ対応する複数の電極ブロックを含み、各電極ブロックは複数の電極を含む。そのうち同じ電極ブロックにある電極は少なくとも２つのパターンを構成し、これらのパターンは一部の電極を共用する。電気泳動ディスプレイ薄膜は第一プリント回路基板に設けられている。透明電極層は電気泳動ディスプレイ薄膜に設けられている。制御素子はキー領域内に設けられ、入力信号を生成する。
【０００８】
本考案は各電極ブロック内に複数の電極を設け、各電極ブロック内にある２つ以上のパターンに一部の電極を共用させる。したがって、電気泳動ディスプレイ薄膜により表示されるパターンが互いにオーバーラップするのを防ぐためにパターンの大きさを縮小する必要はない。
【図面の簡単な説明】
【０００９】
【図１】従来の携帯電話装置の操作方式と、対応する記号の表示方向を表す説明図である。
【図２】従来の携帯電話装置の操作方式と、対応する記号の表示方向を表す説明図である。
【図３】表示方向が切替可能な電気泳動ディスプレイキー構造の平面図である。
【図４】本考案の実施例１による電気泳動ディスプレイキー構造の分解図である。
【図５】本考案の実施例１による各キー領域内の電気泳動ディスプレイキー構造の断面図である。
【図６】本考案による単一の電極ブロックの平面図である。
【図７】本考案による単一の電極ブロックの他実施形態を表す説明図である。
【図８】本考案による単一の電極ブロックの更なる実施形態を表す説明図である。
【図９】本考案による第一パターンと第二パターンの表示方向の他実施形態を表す説明図である。
【図１０】本考案の電気泳動ディスプレイキー構造による第一パターンモードの表示を表す説明図である。
【図１１】本考案の電気泳動ディスプレイキー構造による第二パターンモードの表示を表す説明図である。
【図１２】本考案の実施例２による各キー領域内における電気泳動ディスプレイキー構造の断面図である。
【図１３】本考案の実施例３による各キー領域内における電気泳動ディスプレイキー構造の断面図である。
【考案を実施するための形態】
【００１０】
図３を参照する。図３は本考案による表示方向が切替可能な電気泳動ディスプレイキー構造の平面図である。図３に示すように、電気泳動ディスプレイキー構造１００は入力記号の機能にそれぞれ対応する複数のキー領域１０２を備える。本考案による電気泳動ディスプレイキー構造を詳述するために、図４と図５を参照する。図４は本考案の実施例１による電気泳動ディスプレイキー構造の分解図であり、図５は本考案の実施例１による各キー領域内の電気泳動ディスプレイキー構造の断面図である。図４と図５に示すように、本考案による電気泳動ディスプレイキー構造１００は制御素子１０４と、第一プリント回路基板１０６と、電気泳動ディスプレイ薄膜１０８と、透明電極層１１０と、複数のキーキャップ１１２とを含む。本実施例では、制御素子１０４は複数の金属弾性片１１４と、弾性片薄膜１１６と、複数のプランジャー（ｐｌｕｎｇｅｒ）１１８と、第二プリント回路基板１２０とを含む。第二プリント回路基板１２０としてフレキシブルプリント回路基板を利用しうるが、本考案はそれに限らない。各金属弾性片１１４は各キー領域１０２の第二プリント回路基板１２０に設けられており、それを押圧すれば、押圧された金属弾性片１１４とその下にある第二プリント回路基板１２０に対応するプリント回路は電気的に導通して押圧信号を生成する。弾性片薄膜１１６は金属弾性片１１４に設けられている。弾性片薄膜１１６は粘着機能を有し、金属弾性片１１４を被覆して第二プリント回路基板１２０に粘着するために用いられる。各プランジャー１１８はそれぞれ金属弾性片１１４に対応しており、第一プリント回路基板１０６と弾性片薄膜１１６との間に設けられている。弾性片薄膜１１６が利用されるので、プランジャー１１８を弾性片薄膜１１６に固着することができる。もっとも本考案はそれ限らず、プランジャー１１８を金属弾性片１１４と弾性片薄膜１１６の間に設けてもよい。本実施例によるプランジャー１１８はシリコーンまたはゴムから構成される。
【００１１】
第一プリント回路基板１０６は制御素子１０４に設けられている。電気泳動ディスプレイキー構造は更に、第一プリント回路基板１０６とその下にある弾性片薄膜１１６を接合するための粘着テープ１２２を含む。電気泳動ディスプレイ薄膜１０８は第一プリント回路基板１０６に設けられており、透明電極層１１０は電気泳動ディスプレイ薄膜１０８に設けられている。それにより第一プリント回路基板１０６と、電気泳動ディスプレイ薄膜１０８と、透明電極層１１０は、表示機能を実行するモジュールを構成する。第一プリント回路基板１０６は例えば信号コントローラに電気的に接続されるフレキシブルプリント回路基板であり、それにより電圧信号が第一プリント回路基板１０６に供給される。透明電極層１１０は共通電位に電気的に接続されている（例えば接地）。したがって、信号コントローラが電圧信号を第一プリント回路基板１０６に供給するとき、第一プリント回路基板１０６と透明電極層１１０は電気泳動ディスプレイ薄膜１０８の垂直方向、すなわち電気泳動ディスプレイキー構造１００と垂直な方向に沿って垂直電場を提供する。それにより電気泳動ディスプレイ薄膜１０８はパターンを表示する。また、各キーキャップ１１２はそれぞれプランジャー１１８に対応しており、透明電極層１１０に設けられている。キーキャップ１１２は例えば紫外線硬化樹脂から形成されるが、本考案はそれに限らない。各キーキャップは、ユーザーによる押圧、かつ使用時に複数のキー領域１０２の識別が容易なキー外形を有する。また、電気泳動ディスプレイ薄膜１０８はいかなる形式の電気泳動ディスプレイ構造であってよい。例えば、電気泳動ディスプレイ薄膜１０８は複数のマイクロカプセルと、各マイクロカプセル内に設けられる複数の液体層とを含むか、または複数のマイクロカップ構造と、複数の液体層と、各液体層を各マイクロカップ構造内に封止するための封止層とを含むことができる。もっとも本考案による電気泳動ディスプレイ薄膜はそれに限らない。
【００１２】
注意すべきは、本考案による第一プリント回路基板１０６は、各キー領域１０２内にそれぞれ設けられる複数の電極ブロック１２４を含む。各電極ブロック１２４はその中に位置する複数の電極を備える。複数の電極は少なくとも２つのパターンを構成し、これらのパターンは一部の電極を共用する。本考案による第一プリント回路基板の各電極ブロックを詳しく説明するために、以下に単一の電極ブロックを例にして詳述する。図６を参照する。図６は本考案による単一の電極ブロックの平面図である。図６に示すように、本実施例の各電極ブロック１２４は複数の第一電極１２６と、複数の第二電極１２８と、複数の共通電極１３０とを含む。各第一電極１２６と、各第二電極１２８と、各共通電極１３０は互いに接触されていない。単一の電極ブロック内１２４において、第一電極１２６と共通電極１３０は第一パターン１３２（例えば数字の２）を構成し、第二電極１２８と共通電極１３０は第二パターン１３４（例えばアルファベットのＥ）を構成する。もっとも本考案はそれに限らず、第一パターン１３２と第二パターン１３４は文字、数字、または特殊記号であってよく、表示対象のパターンは入力信号によって決められる。なお、第一パターン１３２の表示方向と第二パターン１３４の表示方向は互いに平行である。
【００１３】
以上のように、本実施例では各電極ブロック内の電極を複数の第一電極と、複数の第二電極と、複数の共通電極に分け、各電極ブロック内の第一パターンと第二パターンに共通電極を共用させる。したがって、第一パターンと第二パターンが互いにオーバーラップするのを防ぐためにパターンの大きさを縮小する必要がなく、キー領域と同じ大きさのパターンにしてよい。これは、電気泳動ディスプレイキー構造の縮小によりパターンが識別できなくなるという先行技術の問題を解決できる。各電極ブロック内の電極パターンを変更するのみで、コストを増加せずに複数の記号間に切り替えることができる。
【００１４】
また、本考案による各電極ブロックは複数の第一電極、複数の第二電極、または複数の共通電極を含むに限らず、電極ブロックで表示しようとする第一パターンと第二パターンのオーバーラップ状態により、第一電極、第二電極、または共通電極の数量を決めることができる。本考案による電極ブロックは少なくとも１つの第一電極と、少なくとも１つの第二電極と、少なくとも１つの共通電極とを含む。図７を参照する。図７は本考案による単一の電極ブロックの他実施形態を表す説明図である。図７に示すように、共通電極１３０は１つのみでよい。また、本考案による各電極ブロックは２つのパターンのみ表示するのでなく、少なくとも２つのパターンを表示できる。図８を参照する。図８は本考案による単一の電極ブロックの更なる実施形態を表す説明図である。図８に示すように、図７に示す電極ブロックに比べて、本実施形態による電極ブロック１２４は更に複数の第三電極１３６を含み、それに第三パターン１３８も追加されている。そのため、第一電極１２６、第二電極１２８、及び共通電極１３０の数量と形状は前掲実施形態とは異なり、第一パターン１３２と第二パターン１３４がオーバーラップする部分は共通電極１３０ａであり、第一パターン１３２と第三パターン１３８がオーバーラップする部分は共通電極１３０ｂであり、第二パターン１３４と第三パターン１３８がオーバーラップする部分は共通電極１３０ｃであり、第一パターン、第二パターン、及び第三パターンがオーバーラップする部分は共通電極１３０ｄである。第一電極１２６と一部の共通電極１３０ａ、１３０ｂ、１３０ｄは第一パターン１３２を構成し、第二電極１２８と一部の共通電極１３０ａ、１３０ｃ、１３０ｄは第二パターン１３４を構成し、第三電極１３６と一部の共通電極１３０ｂ、１３０ｃ、１３０ｄは第三パターン１３８を構成する。
【００１５】
本考案による第一パターンの第一表示方向と第二パターンの第二表示方向は互いに平行であると限らない。図９を参照する。図９は本考案による第一パターンと第二パターンの表示方向の他実施形態を表す説明図である。図９に示すように、第一パターン１３２の表示方向と第二パターン１３４の表示方向は互いに垂直である。
【００１６】
本考案による各電極ブロックは種々の所定メッセージを表す複数のパターンを含む。本考案による電気泳動ディスプレイキー構造のモード変換を詳しく説明するために、図１０、図１１、及び図６を参照する。図１０は本考案の電気泳動ディスプレイキー構造による第一パターンモードの表示を表す説明図であり、図１１は本考案の電気泳動ディスプレイキー構造による第二パターンモードの表示を表す説明図である。図６、図１０、及び図１１に示すように、第一パターンモードとは各電極ブロック１２４の第一パターン１３２の組み合わせをいい、第二パターンモードとは各電極ブロック１２４の第二パターン１３４の組み合わせをいう。電気泳動ディスプレイキー構造１００が第一パターンモードを表示するときは、第一電極１２６と共通電極１３０に電圧信号を供給し、第一電極１２６と共通電極１３０に対応する電気泳動ディスプレイ薄膜に垂直電場を持たせることで、第一パターン１３２を表示させる。電気泳動ディスプレイキー構造１００が第二パターンモードに変換すれば、電気泳動ディスプレイ薄膜により表示される第一パターンモードを消去してから、第二電極１２８と共通電極１３０に電圧信号を供給し、第二電極１２８と共通電極１３０に対応する電気泳動ディスプレイ薄膜に垂直電場を持たせ、第二パターン１３４を表示させる。したがって、本考案による電気泳動ディスプレイキー構造１００は共通電極１３０を利用し、互いにオーバーラップする第一パターン１３２と第二パターン１３４を異なった時点にそれぞれ表示することができる。
【００１７】
注意すべきは、電気泳動ディスプレイ薄膜は第一電極と共通電極、または第二電極と共通電極に電圧信号が継続的に供給されなくとも、第一パターンまたは第二パターンを表示することができる。これは電圧信号供給用の電力を節減し、ＬＥＤの継続的点灯による電力消費という先行技術の問題を解決できる。また、本考案は単層の電気泳動ディスプレイ薄膜を用いるのみで同じキー領域に異なるパターンを表示できるので、同じキー領域に異なるパターンを表示するために多層のパターン付き導光板を要するという先行技術の問題も解決できる。
【００１８】
図４と図５を再び参照する。本考案による電気泳動ディスプレイキー構造１００は更に導光板１４０と、粘着層１４２と、光源１４４とを含む。導光板１４０は例えば透明電極層１１０の上に設けられるシリコーン膜、ポリカーボネート（ＰＣ）膜、熱可塑性ポリウレタンエラストマー（ＴＰＵ）膜、またはポリエチレンテレフタレート（ＰＥＴ）膜であり、複数のナノスケールの光学ドット（例えば５〜１０μｍの光学微細構造）を含む。粘着層１４２は導光板１４０と透明電極層１１０との間に設けられ、導光板１４０と透明電極層１１０を接合するために用いられる。粘着層１４２は例えば光学接着剤または粘着テープであるが、本考案はそれに限らない。光源１４４は例えば導光板１４０の一側に設けられる発光ダイオード（ＬＥＤ）などの発光装置である。
【００１９】
本考案による電気泳動ディスプレイキー構造の制御素子は前掲実施例に限らない。図１２を参照する。図１２は本考案の実施例２による各キー領域内における電気泳動ディスプレイキー構造の断面図である。図１２に示すように、実施例１とは異なり、本実施例による電気泳動ディスプレイキー構造２００の制御素子は金属弾性片、弾性片薄膜、プランジャー、キーキャップなどの構造を含まない。制御素子は透明電極層１１０に設けられ、透明電極層１１０と電気的に絶縁した容量式タッチパネル２０２である。本実施例による容量式タッチパネル２０２は透明電極１１０と導光板１４０との間に設けられている。もっとも本考案はそれに限らず、容量式タッチパネル２０２を導光板１４０の上に設けてもよい。第二プリント回路基板２０４は容量式タッチパネル２０２内に設けられ、タッチ信号を伝送する。
【００２０】
図１３を参照する。図１３は本考案の実施例３による各キー領域内における電気泳動ディスプレイキー構造の断面図である。図１３に示すように、実施例２とは異なり、本実施例による電気泳動ディスプレイキー構造２５０は更に複数の金属弾性片１１４と、弾性片薄膜１１６と、複数のプランジャーとを含む。弾性片薄膜１１６は第一プリント回路基板１０６の下に設けられ、各金属弾性片は各キー領域１０２内の弾性片薄膜１１６の下にそれぞれ設けられている。各プランジャー１１８は、各金属弾性片１１４に対応する第一プリント回路基板１０６と各金属弾性片１１４との間にそれぞれ設けられている。したがって、キー領域１０２の電気泳動ディスプレイキー構造２５０を押圧・接触するとき、ユーザーは金属弾性片１１４の機械的回復力を感知し、電気泳動ディスプレイキー構造２５０が押圧されているのを知得することができる。
【００２１】
まとめて言えば、本考案は各電極ブロック内に複数の電極を設け、各電極ブロック内にある２つ以上のパターンに一部の電極を共用させる。したがって、電気泳動ディスプレイ薄膜により表示されるパターンが互いにオーバーラップするのを防ぐためにパターンの大きさを縮小する必要がなく、キー領域と同じ大きさのパターンにしてよい。これは、電気泳動ディスプレイキー構造の縮小によりパターンが識別できなくなるという先行技術の問題を解決できる。また、本考案は各電極ブロック内の電極パターンを変更するのみで、電気泳動ディスプレイ薄膜に異なるモードのパターンを表示させることができる。したがって、電気泳動ディスプレイキー構造は各種記号間の切替もしくは記号表示方向の切替を行うことができる。
【００２２】
以上は本考案に好ましい実施例であって、本考案の実施の範囲を限定するものではない。よって、当業者のなし得る修正、もしくは変更であって、本考案の精神の下においてなされ、本考案に対して均等の効果を有するものは、いずれも本考案の実用新案登録請求の範囲に属するものとする。
【符号の説明】
【００２３】
１０  携帯電話装置
１２  上筐体
１４  下筐体
１６  キー構造
１８、２０  回動軸構造
２２  第一方向
２４  第一記号
２６  第二方向
２８  第二記号
１００、２００、２５０  電気泳動ディスプレイキー構造
１０２  キー領域
１０４  制御素子
１０６  第一プリント回路基板
１０８  電気泳動ディスプレイ薄膜
１１０  透明電極層
１１２  キーキャップ
１１４  金属弾性片
１１６  弾性片薄膜
１１８  プランジャー
１２０、２０４  第二プリント回路基板
１２２  粘着テープ
１２４  電極ブロック
１２６  第一電極
１２８  第二電極
１３０、１３０ａ〜１３０ｄ  共通電極
１３２  第一パターン
１３４  第二パターン
１３６  第三電極
１３８  第三パターン
１４０  導光板
１４２  粘着層
１４４  光源
２０２  容量式タッチパネル
【図１】
0003164279.tif 000003
【図２】
0003164279.tif 000004
【図３】
0003164279.tif 000005
【図４】
0003164279.tif 000006
【図５】
0003164279.tif 000007
【図６】
0003164279.tif 000008
【図７】
0003164279.tif 000009
【図８】
0003164279.tif 000010
【図９】
0003164279.tif 000011
【図１０】
0003164279.tif 000012
【図１１】
0003164279.tif 000013
【図１２】
0003164279.tif 000014
【図１３】
0003164279.tif 000015